(57)【要約】      （修正有）【課題】流動性を有する充填物が充填されている枕であって、形状、高さ、硬さなどを任意に調整することが可能で、枕を使用する人の体型の個人差、寝姿（上向き、横向き）の変化に対応したり、好みの高さや、硬さに適切に対応可能な枕を提供する。【解決手段】流動性を有する充填物が充填されている枕１であって、当該枕の一つの端縁４，５，６，７に開閉自在の開口部８を設け、当該一つの端縁に対向する他方の端縁から当該一つの端縁に向かって延びて途中で終端し、当該終端部と前記一つの端縁との間に前記充填物が流動する流動隙間１１を形成する内部仕切り１０を前記枕の内部に設けた枕。【選択図】図１
0003155244.tif 000002
【実用新案登録請求の範囲】
【請求項１】
流動性を有する充填物が充填されている枕であって、  当該枕の一つの端縁に開閉自在の開口部を設け、  当該一つの端縁に対向する他方の端縁から当該一つの端縁に向かって延びて途中で終端し、当該終端部と前記一つの端縁との間に前記充填物が流動する流動隙間を形成する内部仕切りを前記枕の内部に設けた  ことを特徴とする枕。
【請求項２】
前記枕の内部で前記開口部の近傍に香料装脱部を設けたことを特徴とする請求項１記載の枕。
【請求項３】
前記充填物は、ビーズ、発泡ビーズ、合成樹脂製中空パイプ、ウレタンチップ、繊維粒わた、籐のチップ、穀物粒、そば殻のいずれか、またはこれらの中の複数種の組み合わせからなることを特徴とする請求項１又は２記載の枕。
【考案の詳細な説明】
【技術分野】
【０００１】  この考案は、流動性を有する充填物が充填されていて、形状、高さ、硬さなどを任意に調整することができる枕に関する。
【背景技術】
【０００２】  従来から、流動性を有する充填物が充填されている枕が種々提案されている（例えば、特許文献１、２、３）。
【先行技術文献】
【特許文献】
【０００３】
【特許文献１】実用新案登録第３０９１４６４号公報
【特許文献２】実用新案登録第３１４１９６８号公報
【特許文献３】特開２００９−１１６９９号公報
【考案の概要】
【考案が解決しようとする課題】
【０００４】  前述した従来の枕は、内部に充填されている充填物の流動性により、寝ている人の姿勢や頭の形状に合わせて、枕の形状、高さ、硬さなど調整可能にすることを目的にしている。【０００５】  しかし、枕を使用する人の体型の個人差、寝姿（上向き、横向き）の変化に対応したり、好みの高さや、硬さに適切に対応可能な枕に関しては依然として改良の余地が残されている。【０００６】  そこで、この考案は、流動性を有する充填物が充填されている枕であって、形状、高さ、硬さなどを任意に調整することが可能で、枕を使用する人の体型の個人差、寝姿（上向き、横向き）の変化に対応したり、好みの高さや、硬さに適切に対応可能な枕を提供することを目的にしている。
【課題を解決するための手段】
【０００７】  前記目的を達成するため本願は以下の考案を提案するものである。【０００８】  請求項１記載の考案は、  流動性を有する充填物が充填されている枕であって、  当該枕の一つの端縁に開閉自在の開口部を設け、  当該一つの端縁に対向する他方の端縁から当該一つの端縁に向かって延びて途中で終端し、当該終端部と前記一つの端縁との間に前記充填物が流動する流動隙間を形成する内部仕切りを前記枕の内部に設けた  ことを特徴とする枕である。【０００９】  請求項２記載の考案は、  前記枕の内部で前記開口部の近傍に香料装脱部を設けたことを特徴とする請求項１記載の枕  である。【００１０】  請求項３記載の考案は、  前記充填物は、ビーズ、発泡ビーズ、合成樹脂製中空パイプ、ウレタンチップ、繊維粒わた、籐のチップ、穀物粒、そば殻のいずれか、またはこれらの中の複数種の組み合わせからなることを特徴とする請求項１又は２記載の枕  である。
【考案の効果】
【００１１】  この考案によれば、流動性を有する充填物が充填されている枕であって、形状、高さ、硬さなどを任意に調整することが可能で、枕を使用する人の体型の個人差、寝姿（上向き、横向き）の変化に対応したり、好みの高さや、硬さに適切に対応可能な枕を提供することができる。
【図面の簡単な説明】
【００１２】
【図１】（ａ）本考案の枕の平面図、（ｂ）図１（ａ）のＡ−Ａ断面図、（ｃ）寝ている人の頭の位置の変化に応じて枕が変形する状態を説明する図１（ａ）のＡ−Ａ断面。
【図２】使用状態における本考案の枕の形状変化の一例を説明する側面図。
【図３】本考案の枕の内部構造を説明する断面図。
【考案を実施するための形態】
【００１３】  以下、添付図面を参照して本考案の好ましい実施形態を説明する。
【００１４】  本考案の枕１は、流動性を有する充填物、例えば、そば殻１２が充填されているものである。
【００１５】  図示の実施形態では、図１（ａ）図示の平面視において矩形の枕１を説明するが、本考案の枕の形状はこれに限定されるものではない。
【００１６】  枕１は符号７で示される端縁に開閉自在の開口部８を備えている。開口部８は、例えば、不図示のファスナーによって開閉自在になっている。
【００１７】  端縁７に対向する他方の端縁６から端縁７に向かって延びて途中で終端している内部仕切り１０が枕１の内部に形成されている。内部仕切り１０は、例えば、枕１を構成する上側布２の中間部と、下側布３の中間部とを縫い合わせること等によって形成することができる。
【００１８】  内部仕切り１０は図１（ａ）図示のように、端縁６から端縁７に向かって延びて途中で終端しているので、この内部仕切り１０の終端部と端縁７との間は、充填物１２が矢印１４、１５方向に流動可能な流動隙間１１になっている。
【００１９】  本考案の枕１においては、端縁７に対向する他方の端縁６から端縁７に向かって延びて途中で終端している内部仕切り１０が枕１の内部に形成されているので、そば殻１２は流動隙間１１の部分を介してのみ矢印１４、１５方向に流動することが出来る。
【００２０】  そこで、内部仕切り１０の存在によって流動性を有する充填物であるそば殻１２の流動が適度に制限され、枕１を使用する人が設定した枕の形状、高さ、硬さを保持することが可能になっている。
【００２１】  本考案の枕１の高さ（図１（ｂ）中、上下方向）、硬さの調整は流動性を有するそば殻１２を、矢印１４で示すように、図１中、内部仕切り１０で区画されている右側から、左側へ、あるいは、矢印１５で示すように、図１中、内部仕切り１０で区画されている左側から、右側へ移動させ、図１中、内部仕切り１０で区画されている右側と左側とにおけるそば殻１２の量を任意に調整して行うことができる。
【００２２】  一方、こうして調整した後、図１中、内部仕切り１０で区画されている右側と左側とにおけるそば殻１２は、図１（ｂ）に示すように、内部仕切り１０が存在することによって簡単に他方の側に移動できず、流動性が制限されるので、調整した後の枕１の高さ、硬さ等は保持されることになる。
【００２３】  こうして、図１中、内部仕切り１０で区画されている右側と左側とにおけるそば殻１２の充填量を使用者が任意に調整できることにより、使用者の寝姿が変動し、図１（ｃ）に符号２０、２１、２２で示すように使用者の寝姿、頭の位置が変わっても、使用している人の頭部に枕１が心地よくフィットすることができる。
【００２４】  図２、図３は、流動隙間１１の部分にそば殻１２が存在しないようにし、そば殻１２を図１中、内部仕切り１０で区画されている右側及び左側の部分に均等に配分し、図１（ｂ）図示のようになって、使用者の首部から後頭部にわたる部分に枕１が適切にフィットしている状態を説明するものである。
【００２５】  本考案の枕１では、枕１の内部で開口部８の近傍に香料装脱部９を配備する形態にする事ができる。この香料装脱部９は、例えば、上側布２、あるいは下側布３の内側にポケット状の袋部を取り付けて形成することができる。
【００２６】  そこで、使用者はその好みに応じて適宜、香料１３を選択して香料装脱部９に装着し、良い香りによる安眠効果をあげることができる。
【００２７】  本考案の枕１は、開口部８が開閉自在になっているので、開口部８を開けてそば殻１２を全部とりだし、また、香料装脱部９から装着していた香料を抜き取って、枕１を洗濯することができる。また、必要に応じて、経時変化により減少したそば殻１２を補充することができる。
【００２８】  本考案の枕１は、図１中、内部仕切り１０で区画されている右側及び左側の部分に配分されているそば殻１２の量を、流動隙間１１を介して左右に矢印１４、１５のように移動させて形状、高さ、硬さを任意に調整することができる。一方、内部仕切り１０が存在することによって、図１中、内部仕切り１０で区画されている右側から左側および、左側から右側へのそば殻１２の流動が規制されるため、調整後の形状、高さ、硬さを保持することができる。
【００２９】  これによって、寝心地が良くなるばかりでなく、香料装脱部９に装着される好みの香料１３の香りによる安眠効果を発揮することができる。
【符号の説明】
【００３０】１  枕２  上側布３  下側布４、５、６、７  枕の端縁８  開閉自在の開口部９    香料装脱部１０  内部仕切り１１  流動隙間１２  そば殻１３  香料
【図１】
0003155244.tif 000003
【図２】
0003155244.tif 000004
【図３】
0003155244.tif 000005